(57)【要約】【課題】ヘッドベース基板上の端子が増えて個々の端子面積が小さくなっても回転ドラム基板側の端子と容易に接続することができるとともに、回転ドラム基板上の部品配置に余裕を持たせることができるヘッドドラム装置を提供する。【解決手段】円筒面をなすドラム面を有した回転ドラムの回転軸に直交する面に沿って配設された回転ドラム基板と、前記回転ドラムのドラム面に沿って走行される磁気テープに摺接しながら磁気テープに対する信号の記録又は読み取りを行う磁気ヘッドとを備え、前記磁気ヘッドの信号端子と電気的に接続される複数の磁気ヘッド接続端子が設けられる金属ベース５８の側面５８ａｓに、接続端が互いにずれて配設された２枚のフレキシブル基板５０U，５０Bを重ねて貼り付け、回転ドラム基板接続コネクタ部５３U，５３Bにより回転ドラム基板と接続する。【選択図】図４
2007122782.tif 000002
【特許請求の範囲】
【請求項１】
円筒面をなすドラム面を有した回転ドラムと、
前記回転ドラムの回転軸に直交する面に沿って配設された回転ドラム基板と、
前記回転ドラムのドラム面に沿って走行される磁気テープに摺接しながら磁気テープに対する信号の記録又は読み取りを行う磁気ヘッドと、
前記磁気ヘッドの信号端子と電気的に接続される複数の磁気ヘッド接続端子を有し、前記回転ドラム基板に配設されたヘッドベース基板と、
一端が前記磁気ヘッド接続端子に貼り付けられ、他端が前記回転ドラム基板の接続端子に接続されるフレキシブル基板と
を備えたことを特徴とするヘッドドラム装置。
【請求項２】
前記フレキシブル基板の他端にはコネクタ端子が形成されていることを特徴とする請求項１に記載のヘッドドラム装置。
【請求項３】
前記フレキシブル基板は、一端どうしが重ね合わせられた複数のフレキシブル基板から成ることを特徴とする請求項１に記載のヘッドドラム装置。
【請求項４】
前記フレキシブル基板は、一端どうしが重ね合わせられた複数のフレキシブル基板から成ることを特徴とする請求項２に記載のヘッドドラム装置。
【請求項５】
前記ヘッドベース基板の磁気ヘッド接続端子は、前記回転ドラム基板に対して所定角度を有した面に形成されていることを特徴とする請求項１に記載のヘッドドラム装置。
【請求項６】
前記ヘッドベース基板の磁気ヘッド接続端子は、前記回転ドラム基板に対して所定角度を有した面に形成されていることを特徴とする請求項２に記載のヘッドドラム装置。
【請求項７】
前記ヘッドベース基板の磁気ヘッド接続端子は、前記回転ドラム基板に対して所定角度を有した面に形成されていることを特徴とする請求項３に記載のヘッドドラム装置。
【請求項８】
前記ヘッドベース基板の磁気ヘッド接続端子は、前記回転ドラム基板に対して所定角度を有した面に形成されていることを特徴とする請求項４に記載のヘッドドラム装置。
【発明の詳細な説明】
【技術分野】
【０００１】
本発明は、回転ドラムに固定され、磁気テープを用いて信号の記録または再生を行う磁気ヘッドと、前記回転ドラム内の基板との接続方法を改善したヘッドドラム装置に関する。
【背景技術】
【０００２】
テープ状の磁気記録媒体である磁気テープに対して信号を記録し、あるいは磁気テープの信号を再生するために、回転ドラム装置（ヘッドドラム装置）が用いられている。この回転ドラム装置は、例えば、ビデオテープレコーダのドライブ装置に搭載されており、例えば図６のように構成されている。図６（ａ）は磁気テープドライブ装置１の概要を示し、図６（ｂ）は回転ドラム装置の構造を示している。
【０００３】
磁気テープドラム装置１は、回転ドラム装置２と、テープカセット３から磁気テープ４を引き出すとともに、引き出した磁気テープ４を上記回転ドラム装置２に巻き付けて所定のテープパスを形成するガイドピン５、５…と、テープカセット３のリール６、６を支持するリール台７、７とピンチローラ８と協動して磁気テープ４を走行させるキャプスタン軸９等を備えている。
【０００４】
回転ドラム装置２は、シャーシ１０に対して軸心がやや斜めに傾斜して配設され、カセット装着部にテープカセット３が装着されるとガイドピン５、５により磁気テープ４が回転ドラム装置２側に引き出され、回転ドラム装置２に巻き付けられるとともに、磁気テープ４がピンチローラ８とキャプスタン軸９とに挟持されて図示のようなテープパスが形成される。
【０００５】
回転ドラム装置２は、シャーシ１０に立設された固定軸１１と、該固定軸１１に対してベアリング（図示省略）を介して回転自在に支持された回転ドラム１２と、該回転ドラム１２の下側に配置され上記シャーシ１０に固着された固定ドラム１３とを備え、これら固定ドラム１３と回転ドラム１２とが所定の間隙を挟んで対向されている。そして、回転ドラム１２は図示しないモータにより回転されるようになっている。
【０００６】
回転ドラム１２の下端縁には、周方向に適宜間隔を空けて複数の切欠（以下、「ヘッド配置孔」という。）１４、１４、・・・が形成され、これらヘッド配置孔１４、１４、・・・に各別に磁気ヘッド１５、１５、・・・が配置されている。
【０００７】
上記のように構成された、回転ドラムを用いたいわゆるヘリカルスキャン方式の装置においては、回転ドラム１２に搭載した磁気ヘッド１５と磁気テープ４とを回転ドラム１２の外周面において接触させ、信号の記録または再生を実行している。
【０００８】
近年、端面に薄膜ヘッド素子を有する磁気ヘッドが、磁気テープに対してほぼ平面形状を有し、磁気テープの剛性に拘わらず磁気ヘッドの磁気テープとの摺接面をドラム面から浮上した磁気テープの位置より低い位置に位置させると共に、上記磁気ヘッドと磁気テープとを減圧により接触させる技術が、例えば下記特許文献１に記載されている。
【特許文献１】特開２００３−２４２６１７号公報
【発明の開示】
【発明が解決しようとする課題】
【０００９】
図７は特許文献１に開示された磁気ヘッドの構成、および磁気ヘッド、回転ドラム、磁気テープの配置関係を示しており、図６と同一部分は同一符号をもって示している。
【００１０】
図７において、磁気ヘッド１５は、ヘッドベース基板１９を有した金属ベース１８の先端部に取り付けられるとともに、図示省略の回転ドラム基板内に配設されている。そして磁気ヘッド１５のテープ摺接面１６が回転ドラム１２のドラム面２ａよりも内側（回転軸側）に位置するように、ヘッド配置孔１４内に配設されている。
【００１１】
磁気ヘッド１５は、所定厚みを有した金属ベース１８の先端部の磁気ヘッド貼り付け面１８ａに貼り付けられ、ウェハー基板２２と、その一方の端部に積層された薄膜素子２０とを有している。
【００１２】
図７（ａ）において、回転ドラム１２が回転すると、ドラム面２ａと磁気テープ４との間に空気が入り込み、当該ドラム面２ａに対して所定量浮上した状態で磁気テープ４が走行する。これは、ドラム面２ａと磁気テープ４との間に空気層が形成され、該空気層と磁気テープ４を挟んで位置する大気との間の圧力差が、磁気テープ４のテープテンションなどとの関係で均衡状態を保ち、これにより所定の浮上量で磁気テープ４が回転ドラム１２のドラム面２ａに沿って走行するためである。
【００１３】
そして、磁気テープ４のうち、ヘッド配置孔１４に対応した部分は、該部分において空気層の断面積が増加した分、空気層の圧力が減圧される。
【００１４】
また、磁気テープ４は、所定のテンションがかかって回転ドラム装置２に巻き付けられているため、そのテンションによりヘッド配置孔１４内に落ち込むようにして磁気テープ４の通り道が直線的となって走行する。そして、磁気テープ４は、ヘッド配置孔１４内に対向した部位がヘッド配置孔１４内に吸引されて、磁気テープ１５のテープ摺接面１６に接触することになる。
【００１５】
このように減圧により、磁気テープ４を磁気ヘッド１５に接触させるため、高剛性の磁気テープであっても、低剛性の磁気テープであっても、所定の接触圧又はそれ以上の接触圧で磁気ヘッド１５に安定的に接触させることができる。
【００１６】
近年磁気ヘッドは、高記録密度、高転送レートを少ない部品で実現するために例えば図８のようなマルチチャンネルのものが多く採用されている。マルチチャンネルとは１つの磁気ヘッドに信号を記録または再生する素子が２つ以上あるもので、同時記録、同時再生を行えるため転送レートの高速化が図れる。
【００１７】
図８はマルチチャンネル仕様の磁気ヘッド１５と回転ドラム基板の配置例を示しており、図７と同一部分は同一符号をもって示している。３１は磁気ヘッド接続端子、３２はドラム基板接続端子、３３は回転ドラム基板、３４は回転ドラム基板端子を各々示している。
【００１８】
ドラム基板接続端子３２と回転ドラム基板端子３４の間は、配線３５を介して半田３６によって接続されている。
【００１９】
ところがチャンネル数が増加すると端子数も多くなり、同時に信号を取り出すヘッドベース基板１９上の端子数（磁気ヘッド接続端子３１、ドラム基板接続端子３２の数）も、例えば図８（ｂ）から図８（ｃ）のように増加するため、限られた面積内に収める必要があり、必然的に個々の端子面積は小さくなる。
【００２０】
回転ドラム基板３３の面積も限られており、既に提案されているフレキシブル基板による配線で一体化しても、これまで行われてきた半田での接続が困難になる。
【００２１】
フレキシブル基板による一体化が可能でもチャンネル数が多くなるとフレキシブル基板の端子幅の下限寸法で配置しても回転ドラム基板上に入りきらない場合がある。さらに磁気ヘッドの交換も難しくなるため、作業性も悪くなる。
【００２２】
本発明は上記の点に鑑みてなされたものでその目的は、ヘッドベース基板上の端子が増えて個々の端子面積が小さくなっても回転ドラム基板側の端子と容易に接続することができるとともに、回転ドラム基板上の部品配置に余裕を持たせることができるヘッドドラム装置を提供することにある。
【課題を解決するための手段】
【００２３】
本発明では、マルチチャンネル仕様の磁気ヘッドにおいて、チャンネル数が多い場合に回転ドラム基板の面積内でフレキシブル基板およびコネクタを用いることで、端子の簡便な接続を可能とするものである。さらにチャンネル数が増えた場合にはヘッドベース基板と接触されるフレキシブル基板を複数方向に分けることで、接続端子の幅を制限して回転ドラム基板内に収めるようにした。
【００２４】
すなわち上記課題を解決するための本発明のヘッドドラム装置は、円筒面をなすドラム面を有した回転ドラムと、前記回転ドラムの回転軸に直交する面に沿って配設された回転ドラム基板と、前記回転ドラムのドラム面に沿って走行される磁気テープに摺接しながら磁気テープに対する信号の記録又は読み取りを行う磁気ヘッドと、前記磁気ヘッドの信号端子と電気的に接続される複数の磁気ヘッド接続端子を有し、前記回転ドラム基板に配設されたヘッドベース基板と、一端が前記磁気ヘッド接続端子に貼り付けられ、他端が前記回転ドラム基板の接続端子に接続されるフレキシブル基板とを備えたことを特徴としている。
【００２５】
また前記フレキシブル基板の他端にはコネクタ端子が形成されていることを特徴としている。
【００２６】
また前記フレキシブル基板は、一端どうしが重ね合わせられた複数のフレキシブル基板から成ることを特徴としている。
【発明の効果】
【００２７】
（１）請求項１〜８に記載の発明によれば、複数の磁気ヘッド接続端子と回転ドラム基板との接続はフレキシブル基板によりなされるので、磁気ヘッドのチャンネル数が増加した際に、ヘッドベース基板上における１チャンネル分の接続用端子（回転ドラム基板と接続するための端子）の面積が小さくなって、半田接続が困難になるという事態には陥らない。したがって磁気ヘッドのチャンネル数を大幅に増やすことができる。
【００２８】
またヘッドベース基板そのものを小さくすることができるため、回転ドラム基板上の部品配置に余裕を持たせてチャンネル数の増加を図ることが可能となる。
（２）また請求項２に記載の発明によれば、半田等の接続手段をとることなく極めて簡単に回転ドラム基板との接続が可能となる。またコネクタを外すことにより回転ドラム基板との接続が断たれるので、磁気ヘッドの交換が非常に容易となる。
（３）また請求項３、４に記載の発明によれば、複数のフレキシブル基板が磁気ヘッド接続端子に重ね合わせて貼り付けられるので、磁気ヘッドのチャンネル数が増加しても、磁気ヘッド接続端子が必要とする面積は増加せず、仕様上限られた面積内でマルチチャンネル配線に対応することができる。
【発明を実施するための最良の形態】
【００２９】
以下、図面を参照しながら本発明の実施の形態について説明するが、本発明は下記実施形態例に限定されるものではない。まず図１に薄膜素子を用いる場合の磁気ヘッドの構造、配線例を示す。薄膜素子を用いた磁気ヘッド１５は、図１（ａ）のようにウェハー基板１２２に、あらかじめ指定された寸法で形成される（薄膜形成位置４０）。
【００３０】
完成したウェハー基板１２２は多くの素子が配置されており、磁気ヘッドに用いる寸法に、切り出し面４１を境として切り出される。尚３０は信号取り出し端子である。
【００３１】
このように加工され切り出された磁気ヘッド１５は、回転ドラムに搭載するために図１（ｂ）の金属ベース４８の端部に貼り付けられる。金属ベース４８の所定幅（厚み）の端部４８ａにおける、ヘッドベース基板４９と直交する側面４８ａｓには、チャンネル数分の磁気ヘッド接続端子３１が設けられ、該磁気ヘッド接続端子３１と磁気ヘッド１５の信号取り出し端子３０とは配線３５によって接続されている。
【００３２】
尚図１（ｂ）のように構成された磁気ヘッド１５を搭載した金属ベース４８は、例えば図８（ａ）と同様に回転ドラム基板３３に配設されるものである。
【００３３】
そしてこの回転ドラム基板３３側の接続端子（図８（ａ）の回転ドラム基板端子３４）と図１の磁気ヘッド接続端子３１は、図２に示すように所定ピッチで配線が施されたフレキシブル基板５０によって接続される。
【００３４】
図２において、まず最初に磁気ヘッド接続端子３１が隠れないように長さを設定した２枚のフレキシブル基板、すなわち上側フレキシブル基板５０U、下側フレキシブル基板５０Bの一端どうしを、金属ベース４８の側面４８ａｓに接着する範囲５１のみで重ねて貼りあわせてフレキシブル基板５０を形成する。尚５２U，５２Bは、互いの位置が重ならないようにずらして設けられた接続端を示している。
【００３５】
そして貼り付け後のフレキシブル基板５０の接着範囲５１を図１（ｂ）の金属ベース４８の磁気ヘッド接続端子３１に貼り付ける。フレキシブル基板５０の他端には回転ドラム基板接続コネクタ部５３（５３U，５３B）が形成されており、回転ドラム基板（図示省略）側の接続端子と接続されるようになっている。
【００３６】
これによって磁気ヘッド１５の各チャンネルの信号は、信号取り出し端子３０、配線３５、フレキシブル基板５０および回転ドラム基板接続コネクタ部５３を介して回転ドラム基板側へ伝送される。
【００３７】
図１においては、ヘッドベース基板４９と、磁気ヘッド接続端子３１が形成された側面４８ａｓとが９０°異なる角度を有しているため、フレキシブル基板５０は前記接着範囲５１との境界部分において折り曲げられる。
【００３８】
ここで金属ベース４８は使用する条件によって薄い場合があり、図３（ａ）のようにチャンネル数が少ない場合にはフレキシブル基板５０内の配線ピッチに余裕があるため配線は可能となる。しかし図３（ｂ）のようにチャンネル数が増えると、従来構造の一枚のフレキシブル基板では金属ベース４８の限られた厚みに配線できない場合が出てくる（図３において図１、図２と同一部分は同一符号をもって示している）。
【００３９】
これに対して本発明では、接着範囲５１を重ねて貼り合わせたフレキシブル基板５０を用いているので、多チャンネルの薄膜素子の信号取り出しを、限られた金属ベース幅の中で行うことが可能となる。
【００４０】
すなわち図４に示すように、重ねられた２枚のフレキシブル基板５０U，５０Bの接続端５２U，５２Bは、金属ベース５８の幅方向に直交する方向にずらして設けられているため、薄膜素子の信号取り出しに必要な寸法が金属ベース５８（の側面５８ａｓ）の幅寸法を超えることはない。このように２枚のフレキシブル基板を重ねて使用することで、接続できるチャンネル数の２倍化が可能となる。さらに同様にして３枚以上のフレキシブル基板を重ねて使用するようにしても良い。
【００４１】
尚図４は金属ベース５８とフレキシブル基板５０のみを簡略化して図示しているが、図１と同様に構成されるものであり、また金属ベース５８の端部５８ａは片側傾斜形状に形成している。
【００４２】
さらに、本実施形態例では、多チャンネルの信号を回転ドラム基板に伝送するために、図５のように回転ドラム基板接続コネクタ部５３を設けているので、接続が容易となる。
【００４３】
図５（ａ）はチャンネル数が少ない場合の接続例であり、図５（ｂ）はチャンネル数が多い場合の接続例であり、図４および図８と同一部分は同一符号をもって示している。
【００４４】
このように回転ドラム基板との接続をコネクタとすることで、フレキシブル基板と金属ベースとの貼り付け面を２箇所から１箇所に削減することができる。また、コネクタで接続することで、半田等の接続手法をとることなく回転ドラム基板との接続が容易となる。
【００４５】
このため多チャンネルの信号を同時に配線することができ、工程を短縮することができる。
【００４６】
また前記回転ドラム基板接続コネクタ部５３は、一方向だけではなく、２方向以上に自由に接続方向を設定し、回転ドラム基板の端子面積を変更するものである。
【００４７】
尚本発明は、記録または再生を行う薄膜素子側に同一平面を有した保護板を片もち形式で貼り付けた磁気ヘッドにも適用することができる。
【図面の簡単な説明】
【００４８】
【図１】本発明が適用される磁気ヘッドおよびその周辺構成を表し、（ａ）は薄膜素子を用いた磁気ヘッドの作製の概要を示す説明図、（ｂ）は薄膜磁気ヘッドの配線例を示す要部斜視図。
【図２】本発明の一実施形態例の要部平面図。
【図３】チャンネル数と金属ベースの幅との関係を説明するための磁気ヘッド取り付け部の要部正面図。
【図４】本発明の一実施形態例を表し、（ａ），（ｂ）は金属ベースとフレキシブル基板の貼り付けの説明図、（ｃ）は（ｂ）の矢視図。
【図５】本発明の一実施形態例の要部説明図。
【図６】本発明が適用される磁気テープドライブ装置を表し、（ａ）はドライブ装置の概略構成図、（ｂ）は回転ドラム装置の斜視図。
【図７】従来の磁気ヘッドおよび回転ドラム装置を表し、（ａ）は磁気ヘッド配置を示す要部断面略図、（ｂ）は磁気ヘッドの斜視図、（ｃ）は薄膜素子を用いた磁気ヘッドの要部斜視図。
【図８】従来の薄膜磁気ヘッドとその周辺構成を表し、（ａ）は薄膜磁気ヘッドと回転ドラム基板の配置を示す要部斜視図、（ｂ），（ｃ）はベース基板上の端子配置例を示す要部斜視図。
【符号の説明】
【００４９】
２…回転ドラム装置、２ａ…ドラム面、４…磁気テープ、１２…回転ドラム、１３…固定ドラム、１４…ヘッド配置孔、１５…磁気ヘッド、１６…摺接面、１８、４８、５８…金属ベース、１９、４９…ヘッドベース基板、２０…薄膜素子、２２、１２２…ウェハー基板、３０…信号取り出し端子、３１…磁気ヘッド接続端子、３２…ドラム基板接続端子、３３…回転ドラム基板、３４…回転ドラム基板端子、３５…配線、３６…半田、４８ａ，５８ａ…端部、４８ａｓ，５８ａｓ…側面、５０，５０U，５０B…フレキシブル基板、５１…接着範囲、５２U，５２B…接続端、５３U，５３B…回転ドラム基板接続コネクタ部。
【図１】
2007122782.tif 000003
【図２】
2007122782.tif 000004
【図３】
2007122782.tif 000005
【図４】
2007122782.tif 000006
【図５】
2007122782.tif 000007
【図６】
2007122782.tif 000008
【図７】
2007122782.tif 000009
【図８】
2007122782.tif 000010